(57)【要約】【課題】温暖なミスト又は乾燥蒸気を安価かつ容易に生成することができるようにする。【解決手段】サウナルームＲ内に噴霧する温暖なミスト又は乾燥蒸気を生成するサウナ装置であって、ミスト生成用水をミスト化して噴霧するためのノズル３０と、このノズル３０から噴霧されるミストを加熱するための加熱部３５とを有していることを特徴としている。【選択図】図１
2008048995.tif 000002
【特許請求の範囲】
【請求項１】
サウナルーム内に噴霧する温暖なミスト又は乾燥蒸気を生成するサウナ装置であって、
ミスト生成用水をミスト化して噴霧するためのノズルと、ノズルから噴霧されるミストを加熱するための加熱部とを有していることを特徴とするサウナ装置。
【請求項２】
加熱部は、ノズルから噴霧されるミストを乾燥蒸気化するように加熱することを特徴とする請求項１に記載のサウナ装置。
【請求項３】
加熱部は、ノズルから噴霧されるミストが温暖なものとなるように加熱することを特徴とする請求項１に記載のサウナ装置。
【請求項４】
ノズルから噴霧されるミスト量を増減制御するミスト量制御手段と、
加熱部による加熱量を増減制御する加熱量制御手段とを設けたことを特徴とする請求項１〜３のいずれかに記載のサウナ装置。
【請求項５】
サウナルーム内の湿度を測定するための湿度センサを具備しており、
ミスト量制御手段は、湿度センサから送出された湿度データに基づいて、ノズルから噴霧されるミスト量を増減制御することを特徴とする請求項４に記載のサウナ装置。
【請求項６】
サウナルーム内の温度を測定するための温度センサと、
サウナルーム内の温度を昇温するための温度調整部と、
温度センサにより測定したサウナルーム内の温度が予め設定した温度範囲に含まれるか否かを判定する判定手段と、
サウナルーム内の温度が予め設定した温度範囲以下であると判定したときには、昇温調整部による昇温動作を開始し、予め設定した温度範囲以上であると判定したときには昇温動作を停止する温度調整手段とを有することを特徴とする請求項１〜５のいずれかに記載のサウナ装置。
【請求項７】
湿度センサにより測定したサウナルーム内の湿度が予め設定した湿度範囲に含まれるか否かを判定する判定手段を設けているとともに、
ミスト量制御手段は、サウナルーム内の湿度が予め設定した湿度範囲以下であると判定したときには、ノズルからのミストの噴霧を開始させ、予め設定した湿度範囲以上であると判定したときにはノズルからのミストの噴霧を停止させることを特徴とする請求項４〜６のいずれかに記載のサウナ装置。
【請求項８】
加熱部は、金属製の筒体に加熱コイルを巻回した構成を有するラジアントチューブを加熱源としていることを特徴とする請求項１〜７のいずれかに記載のサウナ装置。
【請求項９】
加熱部は、発熱機能を備えた金属製の筒体を有するラジアントチューブを加熱源としていることを特徴とする請求項１〜７のいずれかに記載のサウナ装置。
【請求項１０】
ミスト生成用水は、上水、海洋深層水、海水、温泉水、井戸水等の天然水、又はアロマエッセンス、ハーブエキス、木酢、竹酢、香水等を溶解した水溶液であることを特徴とする請求項１〜９のいずれかに記載のサウナ装置。
【発明の詳細な説明】
【技術分野】
【０００１】
本発明は、サウナルーム内に噴霧する温暖なミスト又は乾燥蒸気を生成するサウナ装置に関する。
【背景技術】
【０００２】
従来のスチームサウナ施設にあっては、サウナ室内の環境を調整する目的で送気する蒸気を生成する際に、貯留水を沸騰させて蒸気を生成し、その蒸気をそのままサウナ室内に直接導入する方法が一般的である。
ところで、特開平５−１７６９６８号公報（特許文献１）には、別に設けられた熱交換機によって調整された湯を温水供給装置に一時的に貯留しておき、その温水供給装置からポンプによって加圧送給することにより、噴射口からミストを噴霧する構成のものが記載されている。
【０００３】
【特許文献１】特開平５−１７６９６８号公報
【発明の開示】
【発明が解決しようとする課題】
【０００４】
すなわち、従来技術においては、サウナ室に供給するに必要とする量以上の湯を予め調整する必要から、そのための給湯設備を設ける必要がある。
また、給湯設備では常温の水を蒸気が発生するために必要とするだけの加熱をしなければならず、大型のヒータや重油ボイラ等のエネルギー消費量の大きな発熱体を設けなければならない。
【０００５】
さらに、サウナ室を加温しあるいは加湿するために用いられる湯又は蒸気は、ヒータやボイラ等の加熱装置を、１段又は２段以上に並設して常温の水を加熱し、さらには沸騰させなければならず、サウナ室へと導入するための蒸気が発生するまでに相当の時間を要するために、サウナ装置の運転コストが嵩むという問題がある。
また、水を加熱して蒸気化する場合、例えば水道水を使用すると蒸発残滓であるスケールが蒸気発生槽の内壁に付着するため、それを除去するメンテナンスに費用を要し、サウナ装置における運転経費の低廉化が求められていた。
【０００６】
さらにまた、生成した蒸気をサウナ室内に噴出ノズルから霧状に噴霧することでサウナ室内の温度と湿度を調節していたが、サウナ室使用者は、噴出直後の濃厚な蒸気によって視界を遮られて不快感を感じることがあり、その改善が求められていた。
【０００７】
本発明は、温暖なミスト又は乾燥蒸気を安価かつ容易に生成することができるサウナ装置の提供を目的としている。
【課題を解決するための手段】
【０００８】
請求項１に記載したサウナ装置は、サウナルーム内に噴霧するミストを生成するものであり、ミスト生成用水をミスト化して噴霧するためのノズルと、ノズルから噴霧されるミストを加熱するための加熱部とを有していることを特徴としている。
【０００９】
請求項２に記載のサウナ装置は、請求項１に記載した加熱部が、ミストを乾燥蒸気化するように加熱することを特徴としている。
【００１０】
請求項３に記載のサウナ装置は、請求項１に記載した加熱部が、ミストが温暖なものとなるように加熱することを特徴としている。
【００１１】
請求項４に記載のサウナ装置は、請求項１〜３のいずれかに記載したノズルから噴霧されるミスト量を増減制御するミスト量制御手段と、加熱部による加熱量を増減制御する加熱量制御手段を設けたことを特徴としている。
【００１２】
請求項５に記載のサウナ装置は、請求項４に記載したサウナルーム内の湿度を測定するための湿度センサを具備しており、ミスト量制御手段は、湿度センサから送出された湿度データに基づいて、ノズルから噴霧されるミスト量を増減制御することを特徴としている。
【００１３】
請求項６に記載のサウナ装置は、請求項１〜３のいずれかに記載したサウナルーム内の温度を測定するための温度センサと、サウナルーム内の温度を昇温するための温度調整部が設けられており、温度センサにより測定したサウナルーム内の温度が予め設定した温度範囲に含まれるか否かを判定する判定手段と、サウナルーム内の温度が予め設定した温度範囲以下であると判定したときには、昇温調整部による昇温動作を開始し、温度範囲以上であるときには昇温動作を停止する温度調整手段とを有することを特徴としている。
【００１４】
請求項７に記載のサウナ装置は、請求項４〜６のいずれかに記載した湿度センサにより測定したサウナルーム内の湿度が予め設定した湿度範囲に含まれるか否かを判定する判定手段を設けているとともに、ミスト量制御手段は、サウナルーム内の湿度が予め設定した湿度範囲以下であると判定したときには、ノズルからのミストの噴霧を開始させ、予め設定した湿度範囲以上であると判定したときにはノズルからのミストの噴霧を停止させることを特徴としている。
【００１５】
請求項８に記載のサウナ装置は、請求項１〜７のいずれかに記載した加熱部が、金属製の筒体に加熱コイルを巻回した構成を有するラジアントチューブを加熱源としていることを特徴としている。
【００１６】
請求項９に記載のサウナ装置は、請求項１〜７のいずれかに記載した加熱部が、発熱機能を備えた金属製の筒体を有するラジアントチューブを加熱源としていることを特徴としている。
【００１７】
請求項１０に記載のサウナ装置は、請求項１〜９のいずれかに記載したミスト生成用水が、上水、海洋深層水、海水、温泉水、井戸水等の天然水、又はアロマエッセンス、ハーブエキス、木酢、竹酢、香水等を溶解した水溶液であることを特徴としている。
【発明の効果】
【００１８】
請求項１に記載した発明によれば、ノズルから噴霧されるミストを加熱部で加熱しているので、温暖なミスト又は乾燥蒸気を安価かつ容易に生成することができる。
【００１９】
請求項２に記載した発明によれば、ノズルから噴霧されるミストを乾燥蒸気化するように加熱しているので、ミストの噴出による視界の遮断という不快感を減ずることができるとともに、噴出するミストに体の一部が曝されることによる火傷の危険性をなくすことができる。
【００２０】
請求項３に記載した発明によれば、ノズルから噴霧されるミストが温暖なものとなるように加熱しているので、温暖なミストを容易に生成することができる。
【００２１】
請求項４に記載した発明によれば、ノズルから噴霧されるミスト量を増減制御するとともに、加熱部による加熱量を増減制御しているので、温暖なミストや乾燥蒸気を容易に生成することができる。
【００２２】
請求項５に記載した発明によれば、湿度センサから送出された湿度データに基づいて、ノズルから噴霧されるミスト量を増減制御しているので、サウナルーム内を最適な湿度に保つことができる。
【００２３】
請求項６に記載した発明によれば、温度センサにより測定したサウナルーム内の温度が予め設定した温度範囲に含まれるか否かを判定し、サウナルーム内の温度が予め設定した温度範囲以下であると判定したときには昇温を開始し、温度範囲以上であるときには昇温動作を停止しているので、サウナルーム内を適温に保つことができる。
【００２４】
請求項７に記載した発明によれば、湿度センサにより測定したサウナルーム内の湿度が予め設定した湿度範囲に含まれるか否かを判定し、サウナルーム内の湿度が予め設定した湿度範囲以下であると判定したときには、ノズルからのミストの噴霧を開始し、湿度範囲以上であると判定したときには、ノズルからのミストの噴霧を停止しているので、サウナルーム内を最適な湿度に保つことができ、従ってまた、サウナルーム内を常に発汗に適した環境にしておくことができる。
【００２５】
請求項８，９に記載した発明によれば、ラジアントチューブを加熱源として有しているので、加熱面積を大きくすることができるとともに短時間で効率よく温暖なミスト又は乾燥蒸気を生成できる。
【００２６】
請求項１０に記載した発明によれば、ミスト生成用水として、上水、海洋深層水、海水、温泉水、井戸水等の天然水、又はアロマエッセンス、ハーブエキス、木酢、竹酢、香水等を溶解した水溶液を使用しているので、温泉成分やハーブエキス等を含有する温暖なミスト又は乾燥蒸気を生成することができる。
【発明を実施するための最良の形態】
【００２７】
本発明を実施するための最良の形態について、図面を参照して説明する。図１は、本発明の一実施形態に係るサウナ装置を適用したサウナルームの概略斜視図、図２は、本発明の一実施形態に係るサウナ装置の具体的構成を示す説明図、図３は、制御部を中心としたブロックである。
【００２８】
本発明の一実施形態に係るサウナ装置Ａは、ミスト生成用水を貯留しておく貯水槽１０、湿度調整部Ｂ、制御部Ｃ、温度調整部Ｄ、温度センサＳ１及び湿度センサＳ２を有して構成されている。
【００２９】
湿度調整部Ｂは、貯水槽１０に貯留されているミスト生成用水をノズル３０に向けて圧送するためのポンプ２０、電磁弁２５、この電磁弁２５を通じて圧送されたミスト生成用水をミスト化して噴霧するためのノズル３０、ノズル３０から噴霧されるミストを加熱するための加熱部３５、及び加熱部３５に接続されたダクト４０を有している。
【００３０】
「ミスト」とは微小な霧状の液滴のことである。
「ミスト生成用水」は、本実施形態においては、上水、海洋深層水、海水、温泉水、井戸水等の天然水、又はアロマエッセンス、ハーブエキス、木酢、竹酢、香水等を溶解した水溶液等である。
【００３１】
貯水槽１０は、上記したミスト生成用水を貯留しておくためのものである。従って、上水や井戸水等をミスト生成用水として使用する場合、水源からポンプ等を使って汲み上げたものを直接ポンプに向けて送給する構成にすることにより、必ずしも貯水槽１０やポンプ２０を設置する必要はない。
【００３２】
ノズル３０は、後述する制御部Ｃから出力される制御信号により、ミスト生成用水のミスト化動作を開始し、また、その動作の停止を行える構造になっている。
なお、ポンプ２０については、制御部Ｃから出力される制御信号により駆動状態と停止状態が切り替えられ、また、電磁弁２５については、制御部Ｃから出力される制御信号により開状態と閉状態が切り替えられるようになっている。
【００３３】
加熱部３５は電磁誘導加熱コイルを用いた空冷式のラジアントチューブを加熱源として採用している。
電磁誘導加熱コイルを用いた空冷式のラジアントチューブは、図２に示すように、熱伝導性の良好な金属製円筒体３６に、電磁誘導加熱コイル３７を巻回した構成のものである。
金属製円筒体３６は、乾燥蒸気又は温暖ミストを生成するために十分な全長Ｌにしかつ所要の内外径にして形成されている。
電磁誘導加熱コイル３７には、高周波加熱電源３９が接続されているとともに、リレー３８によってオン／オフ制御されるようになっている。
加熱部３５とノズル３０との配置関係は、ノズル３０と金属性円筒体３６とを同軸的に配置し、かつ、ノズル３０の噴霧口３０ａを金属製円筒体３６の一端側の開口３６ａに突入させている。
ダクト４０はＬ字形に形成されており、これの一端部が金属性円筒体３６の他端側に連結され、他端部を、図１に示すサウナルームＲ内に臨ませている。
【００３４】
本実施形態においては、上述した加熱部３５において、ノズル３０から噴霧されたミストを乾燥蒸気化するように加熱しているが、乾燥蒸気化することに限るものではなく、温暖なミストとなるように加熱してもよい。
「乾燥蒸気」とは、飽和蒸気圧曲線以下の高温低圧領域の蒸気であり、本実施形態においては、上記した加熱部３５から噴出された直後の温度が３００〜５００（℃）のものを想定している。
このような加熱部としては、例えば第一高周波工業株式会社製の「Ｓｕｐｅｒ  Ｈｉ」を採用することができる。
【００３５】
温度調整部Ｄは、本実施形態においては遠赤外線を発生する面状発熱体ヒータを採用しており、後述する制御部Ｃから出力される制御信号によりオン／オフ制御されるようになっている。なお、面状発熱体ヒータとしては、株式会社鳴門製作所製の「面状ヒーター」を採用することができる。このような面状発熱体ヒータを採用することにより、当該ヒータを設置する設置スペースを確保しなくともよい。
【００３６】
温度センサＳ１は、サウナルームＲ内に設置されており、そのサウナルームＲ内の温度を測定するためのものである。また、湿度センサＳ２は、サウナルームＲ内に設置されており、そのサウナルームＲ内の湿度を測定するためのものである。
【００３７】
次に、制御部Ｃについて説明する。
制御部Ｃは、ＣＰＵと入出力回路（いずれも図示しない）を有して構成されているものであり、図３に示すように、入力側には、上記した温度センサＳ１、湿度センサＳ２がそれぞれ接続されているとともに、出力側には、ポンプ２０、電磁弁２５、ノズル３０、高周波加熱電源３９をオン／オフするためのリレー３８及びサウナルームＲ内の温度を昇降するための温度調整部Ｄが接続されている。
【００３８】
制御部Ｃは、所定のプログラムを実行することにより、次の機能を発揮する。
（１）ノズル３０から噴霧されるミスト量に基づいて、加熱部３５による加熱量を増減制御する機能（加熱量制御手段Ｃ１）。
本実施形態においては、ノズル３０から単位時間当たり一定量のミストを噴霧するようになっており、噴霧時間を増減することによりミスト量を増減調整している。
また、ノズル３０から噴霧されたミストを、乾燥蒸気又は温暖なミストとなるように加熱量を制御している。
【００３９】
「温暖なミスト」とは、約４０（℃）から約１００（℃）に達する温度であって、１．０（μｍ）程の微細水滴を含む温暖空気のことである。約４０（℃）は、人間の体温よりもやや高く暖かいと感じられる温度であり、４０（℃）に限る趣旨のものではない。好ましくは約４０〜約６０（℃）となるような加熱量に増減制御するとよい。
なお、ノズル３０から噴霧されるミスト量を増減制御する場合には、その増減したミストが乾燥蒸気又は温暖なミストとなるように加熱量を増減制御する。
【００４０】
（２）温度センサＳ１により測定したサウナルームＲ内の温度が予め設定した温度範囲に
含まれるか否かを判定する機能（判定手段Ｃ２）。
「予め設定した温度範囲に含まれるか否か」の判定は、サウナルーム内の温度が予め設定した温度範囲以下であるとの判定と、予め設定した温度範囲以上であるとの判定の双方を含む。
「予め設定した温度範囲」は、サウナルームＲ内でサウナ浴をしている者が、心地よく
感じる温度範囲であり具体的には４０〜６０（℃）、好ましくは４２〜４５（℃）の範囲である。
なお、上記の温度範囲は、制御部Ｃ内のメモリ（図示しない）に予め記憶されている。
【００４１】
（３）サウナルームＲ内の温度が予め設定した温度範囲以下であると判定したときには、温度調整部Ｄによる昇温動作を開始し、温度範囲以上であると判定したときには昇温動作を停止する機能（温度調整手段Ｃ３）。
【００４２】
（４）湿度センサＳ２により測定したサウナルームＲ内の湿度が予め設定した湿度範囲に含まれるか否かを判定する機能（判定手段Ｃ４）。
「予め設定した湿度範囲に含まれるか否か」の判定には、サウナルームＲ内の湿度が予め設定した湿度範囲以下であるとの判定と、予め設定した湿度範囲以上であるとの判定の双方を含む。
「予め設定した湿度範囲」は、湿度９０〜９６（％）であり、好ましくは９２〜９４（％）の範囲である。この湿度範囲は、制御部Ｃ内のメモリ（図示しない）に記憶されている。
【００４３】
（５）サウナルームＲ内の湿度に基づいて、ノズル３０から噴霧されるミスト量を増減制御する機能（ミスト量制御手段Ｃ５）。
本実施形態においては、湿度センサＳ２から送出された湿度データに基づいて、ノズル３０から噴霧されるミスト量を増減制御している。
具体的には、サウナルームＲ内の湿度が予め設定した湿度範囲以下であると判定したときには、ノズル３０からのミストの噴霧を開始し、湿度範囲以上であると判定したときにはノズル３０からのミストの噴霧を停止するようにしている。
このノズル３０からのミストの噴霧の開始と停止に同期して、ポンプ２０、電磁弁２５、高周波加熱電源３９のオン／オフ制御が行われる。
【００４４】
すなわち、温度調節部ＤによってサウナルームＲ内が所望の温度に調節されている場合に、当該温度における飽和蒸気圧に近い室内蒸気圧力を維持するように単位時間当たりの乾燥蒸気の生成量を制御している。
「所望の温度」は、本実施形態においては約４０〜６０（℃）を想定しているが、これに限るものではない。
【００４５】
サウナルームＲ内の温度調整は次のようにして行っている。図４は、サウナルームＲ内の温度の調整動作を示すフローチャートである。
ステップ１（図中「Ｓ１」と略記する。以下同様。）：サウナルームＲ内の温度を温度センサＳ１で測定してステップＳ２に進む。
ステップ２：温度センサＳ１で測定した温度が、予め設定した４０〜６０（℃）の温度範囲よりも低いか否かを判定し、低い場合にはステップ３に進み、そうでない場合にはステップ４に進む。
「予め設定した４０〜６０（℃）の温度範囲よりも低いか否か」の判定は、本実施形態においては、「予め設定した４０〜６０（℃）の温度範囲以下であるか否か」の判定と同義である。
【００４６】
ステップ３：温度調整部Ｄをオン制御して、ステップ１に戻る。
ステップ４：予め設定した４０〜６０（℃）の温度範囲よりも高いか否かを判定し、高い場合にはステップ５に進み、そうでない場合にはステップ１に戻る。
「予め設定した４０〜６０（℃）の温度範囲よりも高いか否か」の判定は、本実施形態においては、「予め設定した４０〜６０（℃）の温度範囲以上であるか否か」の判定と同義である。
ステップ５：温度調整部Ｄをオフ制御して、ステップ１に戻る。
【００４７】
ミスト量の増減制御は次のようにして行っている。図４は、噴霧するミスト量の増減制御を示すフローチャートである。
ステップ１（図中「Ｔ１」と略記する。以下同様。）：サウナルームＲ内の温度を湿度センサＳ２で測定してステップ２に進む。
ステップ２：湿度センサＳ２で測定した湿度が、予め設定した９０〜９６（％）の湿度範囲よりも低いか否かを判定し、低いと判定した場合にはステップ３に進み、そうでない場合にはステップ４に進む。
「予め設定した９０〜９６（％）の湿度範囲よりも低いか否か」の判定は、本実施形態においては、「予め設定した９０〜９６（％）の湿度範囲以下であるか否か」の判定と同義である。
【００４８】
ステップ３：湿度調整部Ｂをオン制御して、ステップ１に戻る。これにより、ノズル３０からのミストの噴霧の開始に同期して、ポンプ２０、電磁弁２５、高周波加熱電源３９のオン制御が行われる。
【００４９】
ステップ４：予め設定した９０〜９６（％）の湿度範囲よりも高いか否かを判定し、高い場合にはステップ５に進み、そうでない場合にはステップ１に戻る。
「予め設定した９０〜９６（％）の湿度範囲よりも高いか否か」は、本実施形態においては、「予め設定した９０〜９６（％）の湿度範囲以上であるか否か」と同義である。
ステップ５：湿度調整部Ｂをオフ制御して、ステップ１に戻る。これにより、ノズル３０からのミストの噴霧の開始に同期して、ポンプ２０、電磁弁２５、高周波加熱電源３９のオフ制御が行われる。
【００５０】
図６は、他例に係る加熱部の概略構成を示す説明図である。
他例に係る加熱部５０は、発熱機能を備えた金属製の筒体５１に高周波加熱電源５２を接続した構造のものである。
筒体５１の一方の端部には円錐台形の受け具５１ａが連結されており、この受け具５１ａに、上記したノズル３０を同軸的に対向配置している。
なお、５３で示すものは、高周波加熱電源５２をオン／オフ制御するためのリレーであり、上述した制御部に接続されている。
このような加熱部としては、野村技工株式会社製の「Ｇｅｎｅｓｉｓ」を採用することができる。
【００５１】
次に、他の実施形態に係るサウナ装置について説明する。図７は、他の実施形態に係るサウナ装置の具体的構成を示す説明図である。なお、前述した実施形態において説明したものと同等のものには同一の符号を付すことにより詳細な説明を省略し、ここでは、相違点について詳細に説明する。
【００５２】
本実施形態に係るサウナ装置は、加熱部６０の構成と、コイル駆動部７０が設けられている点が前述した実施形態と相違している。
加熱部６０は、図２に示すものと同じく、電磁誘導加熱コイルを用いた空冷式のラジアントチューブを加熱源として採用している。
電磁誘導加熱コイルを用いた空冷式のラジアントチューブは、熱伝導性の良好な金属製円筒体６１に、２つの電磁誘導加熱コイル６２，６３を巻回した構成のものである。
【００５３】
金属製円筒体６１は、ノズル３０から噴霧されたミストを乾燥蒸気にする上で充分な加熱が行える全長にしているとともに、所要の内外径にして形成されている。
電磁誘導加熱コイル６２，６３には、コイル駆動部７０を介して高周波加熱電源３９が共通に接続されている。
【００５４】
コイル駆動部７０は、電磁誘導加熱コイル６２，６３を独立して加熱することができるものであり、本実施形態においては、金属製円筒体６１の一端部６１ａ側に巻回されている電磁誘導加熱コイル６２の加熱温度よりも、他端部６１ｂ側に巻回されている電磁誘導加熱コイル６３の加熱温度を高く設定している。このような構成にすることにより、効率よく乾燥蒸気又は温暖なミストを生成することができる。
【００５５】
なお、本実施形態においては、２つの電磁誘導加熱コイルを異なる温度にして加熱駆動する例について説明したが、３つ以上の電磁誘導加熱コイルを金属製円筒体６１に巻回するとともに、一端部６１ａ側に巻回されたものから、他端部６１ｂ側に巻回されたものにかけて次第に高温となるように加熱駆動するようにしてもよい。このような構成にすることにより、より効率よく乾燥蒸気又は温暖なミストを生成することができる。
【００５６】
本発明は上述した実施形態に限るものではなく、次のような変形実施が可能である。
・前述した実施形態においては、ミスト量の増減を謂わばフィードバック制御している例について説明したが、湿度センサで検出した複数の湿度に対応する所定の噴霧時間をそれぞれ予め設定しておき、当該湿度の検出により、対応する所定の噴霧時間だけミストを噴霧するようにしてもよい。
・前述した実施形態においては、加熱現として電磁誘導加熱コイルを用いたもの、筒体自体が発熱機能を有するものを例として説明したが、ガスバーナ式のラジアントチューブを加熱源として採用することもできる。
【００５７】
・前述した実施形態においては、サウナルーム内の温度が予め設定した温度範囲以下であると判定したときには、昇温調整部による昇温動作を開始し、予め設定した温度範囲以上であると判定したときには昇温動作を停止する例について説明したが、サウナルーム内の温度が予め設定した温度範囲未満であると判定したときには、温度調整部による昇温動作を開始し、温度範囲を超えるときには昇温動作を停止するようにしてもよい。
【００５８】
・また、サウナルーム内の湿度が予め設定した湿度範囲以下であると判定したときには、ノズルからのミストの噴霧を開始させ、予め設定した湿度範囲以上であると判定したときにはノズルからのミストの噴霧を停止させる例について説明したが、サウナルーム内の湿度が予め設定した上記湿度範囲未満であると判定したときには、ノズルからのミストの噴霧を開始し、湿度範囲を超えると判定したときにはノズルからのミストの噴霧を停止するようにしてもよい。
【図面の簡単な説明】
【００５９】
【図１】本発明の一実施形態に係るサウナ装置を適用したサウナルームの概略斜視図である。
【図２】本発明の一実施形態に係るサウナ装置の具体的構成を示す説明図である。
【図３】制御部を中心としたブロックである。
【図４】制御部によるサウナルーム内の温度の制御動作を示すフローチャートである。
【図５】サウナルーム内の温度の調整動作を示すフローチャートである。
【図６】他例に係る加熱部の概略構成を示す説明図である。
【図７】本発明の他の実施形態に係るサウナ装置の具体的構成を示す説明図である。
【符号の説明】
【００６０】
３０  ノズル
Ｂ    加熱部
Ｃ１  加熱量制御手段
Ｃ２  判定手段
Ｃ３  温度調整手段
Ｃ４  判定手段
Ｃ５  ミスト量制御手段
Ｄ    温度調整部
Ｒ    サウナルーム
Ｓ１  温度センサ
Ｓ２  湿度センサ
【図１】
2008048995.tif 000003
【図２】
2008048995.tif 000004
【図３】
2008048995.tif 000005
【図４】
2008048995.tif 000006
【図５】
2008048995.tif 000007
【図６】
2008048995.tif 000008
【図７】
2008048995.tif 000009